(57)【特許請求の範囲】
【請求項１】
凹凸部が交互に連続する鋼矢板壁からなる老朽化矢板護岸の修復護岸構造であって、前記既設の鋼矢板壁の凸部に接触し、または凸部から少し離れて直線状の鋼矢板壁が構築されており、該直線状の鋼矢板壁は、両端に継ぎ手を有し、中央の平板部が広幅パネル状の鋼矢板で、かつ、該平板部の既設鋼矢板壁の凹部に相対する位置に、曲げ剛性を強化するＣＴ形鋼、Ｈ形鋼もしくは平鋼からなる突起部が既設の鋼矢板壁の凹部に向かって突出するように配置されて接合された広幅パネル状の鋼矢板を、前記突起部が前記既設鋼矢板壁の凹部に遊嵌するように、かつ前記継ぎ手を嵌合するように水底地盤に打設して構築されていることを特徴とする老朽化矢板護岸の修復護岸構造。
【請求項２】
前記直線状の鋼矢板壁を構成する前記広幅パネル状の鋼矢板は、前記既設鋼矢板壁の複数の凹部に相対し、該複数の凹部の少なくとも二つ以上の凹部に前記曲げ剛性強化用の突起部がそれぞれ遊嵌するように、該突起部をそれぞれ複数接合してなることを特徴とする請求項1に記載の老朽化矢板護岸の修復護岸構造。
【請求項３】
凹凸部が交互に連続する鋼矢板壁からなる老朽化矢板護岸の修復護岸構造であって、前記既設の鋼矢板壁の凸部に接触し、または凸部から少し離れて直線状の鋼矢板壁が構築されており、該直線状の鋼矢板壁は、両端に継ぎ手を有し、中央の平板部が広幅パネル状の鋼矢板で、かつ、該平板部の既設鋼矢板壁側の面に既設の鋼矢板壁の凹部に向かって突出するように配置されたジベルとしての突起部材が接合された広幅パネル状の鋼矢板を、前記継ぎ手を嵌合するように水底地盤に打設して構築されていることを特徴とする老朽化矢板護岸の修復護岸構造。
【請求項４】
既設の鋼矢板壁の新設の直線状の鋼矢板壁側の面に、ジベルなどの突起部材が接合されていることを特徴とする請求項１ないし請求項３のいずれか１項に記載の老朽化矢板護岸の修復護岸構造。
【請求項５】
前記広幅パネル状の鋼矢板の前記継ぎ手部は、直線矢板を半割りした部材が前記平板部の両端にそれぞれ接合されたものであることを特徴とする請求項1ないし請求項４のいずれか１項に記載の老朽化矢板護岸の修復護岸構造。
【請求項６】
前記既設の鋼矢板壁と新設の直線状の鋼矢板壁との間隙には、砂、礫、粘性土、経時硬化性材料等の各種の充填材が単独でもしくは混合して充填されていることを特徴とする請求項1ないし請求項５のいずれか１項に記載の老朽化矢板護岸の修復護岸構造。
【請求項７】
既設の鋼矢板壁の凸部から少し離れて直線状の鋼矢板壁が構築されている場合に、広幅パネル状の鋼矢板の平板部又は継ぎ手の上端部と、既設の鋼矢板壁の凸部の上端部とはこれらに溶接により固定されたスペーサにより連結されていることを特徴とする請求項１ないし６のいずれか１項に記載の老朽化矢板護岸の修復護岸構造。
【請求項８】
突起部の上端部には係止金具が設けられ、その係止金具が既設の鋼矢板壁の上端に係止されていることを特徴とする請求項１ないし７のいずれか１項に記載の老朽化矢板護岸の修復護岸構造。
【請求項９】
凹凸部が交互に連続する鋼矢板壁からなる老朽化矢板護岸の修復工法であって、両端に継ぎ手を有し、中央の平板部が広幅パネル状の鋼矢板で、かつ、該平板部の既設鋼矢板壁の凹部に相対する位置に、曲げ剛性を強化するＣＴ形鋼、Ｈ形鋼もしくは平鋼からなる突起部が既設の鋼矢板壁の凹部に向かって突出するように配置されて接合された広幅パネル状の鋼矢板を水底地盤に打込むと共に広幅パネル状の鋼矢板を、前記既設の鋼矢板壁の凸部に接触させ、または凸部から少し離して、前記突起部が前記既設鋼矢板壁の凹部に遊嵌するようにし、かつ、前記継ぎ手を嵌合させながら順次打設して直線状の鋼矢板壁を構築することを特徴とする老朽化矢板護岸の修復工法。
【請求項１０】
前記平板部の既設鋼矢板壁の凹部に相対する位置に、曲げ剛性を強化するＣＴ形鋼、Ｈ形鋼もしくは平鋼からなる突起部が接合された広幅パネル状の鋼矢板に替えて、前記平板部の既設鋼矢板壁側の面に既設の鋼矢板壁の凹部に向かって突出するように配置されたジベルなどの突起部材が接合された広幅パネル状の鋼矢板を用いることを特徴とする請求項９に記載の老朽化護岸の修復工法。
【請求項１１】
前記直線状の鋼矢板壁を構築する前に、予め、既設の鋼矢板壁の新設の直線状の鋼矢板壁側の面に、ジベルとしての突起部材を取り付けることを特徴とする請求項９または請求項１０に記載の老朽化矢板護岸の修復工法。
【請求項１２】
前記既設の鋼矢板壁と新設の直線状の鋼矢板壁との間隙に、砂、礫、粘性土、経時硬化性材料等の各種の充填材を、単独でもしくは混合して充填することを特徴とする請求項９ないし請求項１１のいずれか１項に記載の老朽化矢板護岸の修復工法。
【請求項１３】
既設の鋼矢板壁の凸部から少し離れて直線状の鋼矢板壁を構築する場合に、広幅パネル状の鋼矢板の平板部の上端部と、既設の鋼矢板壁の凸部の上端部とを溶接により固定されるスペーサにより連結することを特徴とする請求項９ないし１２のいずれか１項に記載の老朽化矢板護岸の修復工法。
【請求項１４】
突起部の上端部には係止金具を設け、その係止金具を既設の鋼矢板壁の上端に係止することを特徴とする請求項９ないし１３のいずれか１項に記載の老朽化矢板護岸の修復工法。
【発明の詳細な説明】
【０００１】
【発明の属する技術分野】
本発明は、老朽化した矢板構造物、特に老朽化矢板護岸の補強、修復に関するもので、近接構造物に悪影響を及ぼすことなく、もしくは河川の流量確保、港湾の水域確保のために、限られた空間内で補強構造物を構築するニーズに応える補強、修復構造および修復工法に関するものである。
【０００２】
【従来の技術】
鋼矢板の打設による護岸構造例は全国の港湾、河川等に存在するが、この矢板護岸が施工されて数十年が経過した現在、鋼矢板の腐食による断面性能の低下と、その修復・補強対策が問題となっている。
【０００３】
腐食した鋼矢板の補強対策の従来例１としては、既存の護岸の前面にさらに新たな護岸（鋼矢板）を構築方法する工法がある。
【０００４】
以下、従来例１について、図１２、１３で説明する。まず、図１２は老朽化した既設の矢板護岸１を示し、図の左側が港外側、右側が港内側である。この矢板護岸１において、水中２に所定の間隔をあけて、Ｕ型鋼矢板６の継ぎ手を介して連結してなる鋼矢板壁３を水底地盤７に打設することで構築されていて、両鋼矢板壁３の背面には長尺の溝形鋼からなる腹起し４が水平に設けられていて、両方の腹起し４間がタイロッド５で連結されている。さらに、両鋼矢板壁３の間には間詰め土砂８が充填されていると共に、間詰め土砂８の上部にはコンクリート製の上部工１０が施工され、この上部工１０により両鋼矢板壁３の頭部は被覆されている。
【０００５】
前記の既設の矢板護岸１において、既設のＵ型鋼矢板６が腐食により断面性能が低下したとき、従来例１では、図１３に示すように、既設の矢板護岸１の前側にこれと同一の断面構造の新設の矢板壁３ａを構築する。すなわち、既設の矢板護岸１は継ぎ手１１を嵌合して連結し、かつ、隣り合う矢板同士が交互に向かい合い、凹凸部が連続して形成されるように構成されている。この既設矢板壁３の前面に、凹凸が互いに同じに位置するように、既設矢板壁３と同一構造の新設矢板壁３ａを平行に打設して、かつ、新旧矢板壁３、３ａ間の狭幅部のウェブ部１２同士を結合金具１４で結合し、新旧矢板壁３、３ａ間の空間には止水性充填材１５を充填する補強方法である。
【０００６】
複数の矢板壁を並列に構築する従来例２として、Ｕ型鋼矢板とＨ形鋼を組み合わせる「組合わせ鋼矢板工法」（特開昭５４−７８８１３号公報）や、これと類似の従来例３として、鋼矢板に直接ＣＴ形鋼（Ｈ形鋼をウェブ部で分割してＴ形断面とした形鋼）を溶接した「地中連続壁用鋼製部材」（特開平６−２８０２５１号公報）などがある。さらに、従来例４として、直線矢板を使用した「本体兼用の鋼製地中壁」（特開平３−１７３１３号公報）がある。
【０００７】
【発明が解決しようとする課題】
しかし、前記の従来例１では、断面性能が低下した既設矢板壁３の補修という目的は達成できるが、新設の矢板壁３ａは既設の矢板壁３と同様に凹凸構造であると共に、既設の矢板壁３に対して結合金具１４で結合され、新旧矢板壁３、３ａ間の空間には止水性充填材１５が充填されているため、必然的に既設の矢板壁３の前方に大きく突出することになり、既設矢板壁３の前方の空間を犠牲にすることになる。したがって、河川では、川幅を狭めて洪水の危険性が増すことになり、また、港湾では、港湾水域を狭めて船の接岸に支承を来すことになるなどの問題があるため、この方法は、老朽化した矢板構造物、特に老朽化矢板護岸の補強、修復工法としては好ましくない。
【０００８】
また、従来例２や従来例３は、それ自体が新設の矢板壁を構築することを目的としており、既存護岸（既設矢板壁３）の補修には適さないだけでなく、既設矢板壁に密着施工することもできない。
【０００９】
従来例４は、直線矢板にＣＴ形鋼を接合したものであるが、既存護岸（既設矢板壁３）の補修を目的としておらず、かつ、既設矢板壁に密着施工することはできないと共に、さらに、広幅の鋼板などを使用しておらず、幅の狭い部材を多数打設するため、製造コストおよび施工コストに課題を有する。
【００１０】
なお、既設の鋼矢板壁３の補修方法として、ＦＲＰ（繊維強化プラスチック）により腐食した箇所ごとに部分補修する補修工法があるが、この工法は水中作業を要する上に、ＦＲＰは、「土留め構造」としては機能せず、また、耐久性について限界があるといわれていることなどもあり、老朽化した矢板構造物の補修対策として現実的でない。
【００１１】
本発明は、構築後の長期間経過による腐食等のため、断面性能が低下した矢板護岸構造において、矢板壁の凹スペースを利用して新たな構造部材を建込むことで、限られた空間内で、突出部を極小に抑えて施工し、使用中の護岸を短期間で経済的に補強し、強度を回復して、修復する工法を提供することを目的とするものである。
【００１２】
【課題を解決するための手段】
前記の課題を解決するため、本発明は、次のように構成する。
【００１３】
第１の発明は、凹凸部が交互に連続する鋼矢板壁からなる老朽化矢板護岸の修復護岸構造であって、前記既設の鋼矢板壁の凸部に接触し、または凸部から少し離れて直線状の鋼矢板壁が構築されており、該直線状の鋼矢板壁は、両端に継ぎ手を有し、中央の平板部が広幅パネル状の鋼矢板で、かつ、該平板部の既設鋼矢板壁の凹部に相対する位置に、曲げ剛性を強化するＣＴ形鋼、Ｈ形鋼もしくは平鋼からなる突起部が既設の鋼矢板壁の凹部に向かって突出するように配置されて接合された広幅パネル状の鋼矢板を、前記突起部が前記既設鋼矢板壁の凹部に遊嵌するように、かつ前記継ぎ手を嵌合するように水底地盤に打設して構築されていることを特徴とする。
【００１４】
第２の発明は、第１の発明において、前記直線状の鋼矢板壁を構成する前記広幅パネル状の鋼矢板は、前記既設鋼矢板壁の複数の凹部に相対し、該複数の凹部の少なくとも二つ以上の凹部に前記曲げ剛性強化用の突起部がそれぞれ遊嵌するように、該突起部をそれぞれ複数接合してなることを特徴とする。
【００１５】
第３の発明は、凹凸部が交互に連続する鋼矢板壁からなる老朽化矢板護岸の修復護岸構造であって、前記既設の鋼矢板壁の凸部に接触し、または凸部から少し離れて直線状の鋼矢板壁が構築されており、該直線状の鋼矢板壁は、両端に継ぎ手を有し、中央の平板部が広幅パネル状の鋼矢板で、かつ、該平板部の既設鋼矢板壁側の面に既設の鋼矢板壁の凹部に向かって突出するように配置されたジベルとしての突起部材が接合された広幅パネル状の鋼矢板を、前記継ぎ手を嵌合するように水底地盤に打設して構築されていることを特徴とする。
【００１６】
第４の発明は、第１〜第３の何れかの発明において、既設の鋼矢板壁の新設の直線状の鋼矢板壁側の面に、ジベルなどの突起部材が接合されていることを特徴とする。
【００１７】
第５の発明は、第１〜第４の何れかの発明において、前記広幅パネル状の鋼矢板の前記継ぎ手部は、直線矢板を半割りした部材が前記平板部の両端にそれぞれ接合されたものであることを特徴とする。
【００１８】
第６の発明は、第１〜第５の何れかの発明において、前記既設の鋼矢板壁と新設の直線状の鋼矢板壁との間隙には、砂、礫、粘性土、経時硬化性材料等の各種の充填材が単独でもしくは混合して充填されていることを特徴とする。
【００１９】
第７の発明は、第１〜第６の何れかの発明において、第既設の鋼矢板壁の凸部から少し離れて直線状の鋼矢板壁が構築されている場合に、広幅パネル状の鋼矢板の平板部又は継ぎ手の上端部と、既設の鋼矢板壁の凸部の上端部とはこれらに溶接により固定されたスペーサにより連結されていることを特徴とする。
第８の発明は、第１発明ないし第７発明のいずれかの発明において、突起部の上端部には係止金具が設けられ、その係止金具が既設の鋼矢板壁の上端に係止されていることを特徴とする。
第９の発明は、凹凸部が交互に連続する鋼矢板壁からなる老朽化矢板護岸の修復工法であって、両端に継ぎ手を有し、中央の平板部が広幅パネル状の鋼矢板で、かつ、該平板部の既設鋼矢板壁の凹部に相対する位置に、曲げ剛性を強化するＣＴ形鋼、Ｈ形鋼もしくは平鋼からなる突起部が既設の鋼矢板壁の凹部に向かって突出するように配置されて接合された広幅パネル状の鋼矢板を水底地盤に打込むと共に広幅パネル状の鋼矢板を、前記既設の鋼矢板壁の凸部に接触させ、または凸部から少し離して、前記突起部が前記既設鋼矢板壁の凹部に遊嵌するようにし、かつ、前記継ぎ手を嵌合させながら順次打設して直線状の鋼矢板壁を構築することを特徴とする。
【００２０】
第１０の発明は、第９の発明において、前記平板部の既設鋼矢板壁の凹部に相対する位置に、曲げ剛性を強化するＣＴ形鋼、Ｈ形鋼もしくは平鋼からなる突起部が接合された広幅パネル状の鋼矢板に替えて、前記平板部の既設鋼矢板壁側の面に既設の鋼矢板壁の凹部に向かって突出するように配置されたジベルなどの突起部材が接合された広幅パネル状の鋼矢板を用いることを特徴とする。
【００２１】
第１１の発明は、第９または第１０の発明において、前記直線状の鋼矢板壁を構築する前に、予め、既設の鋼矢板壁の新設の直線状の鋼矢板壁側の面に、ジベルとしての突起部材を取り付けることを特徴とする。
【００２２】
第１２の発明は、第９〜第１１の何れかの発明において、前記既設の鋼矢板壁と新設の直線状の鋼矢板壁との間隙に、砂、礫、粘性土、経時硬化性材料等の各種の充填材を、単独でもしくは混合して充填することを特徴とする。
第１３の発明は、第９ないし第１２の何れかの発明において、既設の鋼矢板壁の凸部から少し離れて直線状の鋼矢板壁を構築する場合に、広幅パネル状の鋼矢板の平板部の上端部と、既設の鋼矢板壁の凸部の上端部とを溶接により固定されるスペーサにより連結することを特徴とする。
第１４の発明は、第９ないし第１２の何れかの発明において、突起部の上端部には係止金具を設け、その係止金具を既設の鋼矢板壁の上端に係止することを特徴とする。
【００２３】
【作用】
本発明によると、矢板壁の腐食等により、断面性能が低下した護岸構造において、土留め構造物としての強度を回復するために、新たな構造部材として、直線状の鋼矢板壁を既設矢板壁に密着させ又は近接させて打設し、さらに、既存護岸の矢板の凹凸の空間を活用して、前記直線状の鋼矢板壁の曲げ剛性強化用の突起部を該凹部のスペースを利用して建込み、新旧の鋼矢板壁間に充填材を充填して構築する。
【００２４】
したがって、本発明では既設矢板壁の限られた空間内で、省スペースの補強構造物（補強用の新設の鋼矢板壁）を構築でき、河川幅や港湾水域等を犠牲にすることなく、かつ使用中の護岸を短期間に補強、修復することが可能である。また、８００ｍｍ幅を越える（鋼矢板２枚分）補強矢板壁部材を広幅の鋼板を用いて構成することにより、製造コスト、打設コストを下げることができる。
【００２５】
また、直線状の鋼矢板壁の既設鋼矢板壁側面に設けたジベルなどの突起部材を既設矢板壁の凹部に位置させ、この凹部スペースを利用して直線状の鋼矢板壁を建込み、突起部材を介して、新旧の鋼矢板壁間に充填する経時硬化性材料との結合を確実にすることで、既設矢板壁の限られた空間内で、省スペースの補強構造物（補強用の新設の鋼矢板壁）を構築でき、河川幅や港湾水域等を犠牲にすることなく、かつ使用中の護岸を短期間に補強、修復することが可能である。
【００２６】
曲げ剛性を強化するＣＴ形鋼、Ｈ形鋼もしくは平鋼等からなる突起部は、これら例示の形鋼に限られるものではなく、必要特性が得られる限り、種々の形態を許容するものである。
【００２７】
曲げ剛性を強化するＣＴ形鋼、Ｈ形鋼もしくは平鋼等からなる突起部やジベルなどの突起部材の鋼矢板への接合手段としては、ボルト等によるネジ止めやかしめ接合等の機械的な接合の他、溶接や圧接、接着等、必要特性に応じて種々の手段を許容するものである。
【００２８】
既設の鋼矢板壁と新設の直線状の鋼矢板壁との間隙に充填される充填材としては、砂、礫、粘性土、経時硬化性材料等の各種の充填材の中から、必要特性に応じて、単独でもしくは混合して充填される。また、経時硬化性材料としては、セメント、モルタル、コンクリート、ソイルセメント、樹脂等が例示できる。
【００２９】
【発明の実施の形態】
本発明の実施の形態を図を参照して説明する。
【００３０】
図１〜図４は、本発明の実施形態１を示し、図１は既設の矢板護岸に実施形態１の補修壁を施工した護岸構造の断面図、図２は図１のＡ−Ａ断面図、図３（Ａ）、（Ｂ）は、図２のａ−ａ、ｂ−ｂ断面図、図４（Ａ）、（Ｂ）は、図１のＢ−Ｂ、Ｃ−Ｃ断面図である。図５は、実施形態１の護岸構造の第１施工工程の図、図６は、第２施工工程の図、図７は、第３施工工程の図である。
【００３１】
図１において、老朽化した既設の矢板護岸１は、図１２で説明したのと同じ構造物である。すなわち、図１は、実施形態１として、Ｕ型鋼矢板壁で構成された河川護岸における矢板護岸１を示し、この矢板護岸１において、図の左側が港外側、右側が港内側である。
【００３２】
前記の矢板護岸１は、Ｕ型鋼矢板６の継ぎ手を介して連結してなる鋼矢板壁３を、水中２に所定の間隔をあけて、かつ、海底地盤７にバイブロハンマー工法で打設して構築され、両鋼矢板壁３の背面には長尺の溝形鋼からなる腹起し４が水平に設けられていて、両方の腹起し４と鋼矢板壁３のウェブ部１２を貫通するタイロッド５で連結した２重壁で構成されている。さらに、両鋼矢板壁３の間には間詰め土砂８が充填されていると共に、間詰め土砂８の上部にはコンクリート製の上部工１０が施工され、この上部工１０により両鋼矢板壁３の頭部は被覆されている。
【００３３】
前記の既設の矢板護岸１において、既設のＵ型鋼矢板６が腐食により断面性能が低下したときの修復護岸構造として、図２〜図４に示すように、補修壁として直線状の鋼矢板壁２３が構築されている。
【００３４】
各図において、直線状の鋼矢板壁２３は、既設の鋼矢板壁３の凸部１６から前側に少し離れて構築されている。また、直線状の鋼矢板壁２３は、広幅パネル状の鋼矢板２２を連結して構成される。広幅パネル状の鋼矢板２２は、鋼板製の平板２１の両端に直線矢板を半割りにした部材（矢板半割り部材という）２０を溶接すると共に、さらに、平板２１に曲げ剛性を強化すると共に、広幅パネル状の鋼矢板２２に自立性を与えるためにＨ形鋼からなる突起部１９を設ける。この突起部１９は、ＣＴ形鋼または平鋼でもよく、これについては後の実施形態で説明する。
【００３５】
前記広幅パネル状の鋼矢板２２は、Ｈ形鋼の突起部１９が、既設の鋼矢板壁３の凹部１８に位置するようにして打設されると共に、隣り合う鋼矢板２２同士は継ぎ手１７によって結合されて直線状の鋼矢板壁２３が構築されている。
【００３６】
実施形態１では、広幅パネル状の鋼矢板２２の両端の継ぎ手１７は、既設の鋼矢板壁３の１つの凹部１８を隔てた両側の凹部１８に位置するように設けられていて、かつＨ形鋼の突起部１９は、前記中間の凹部１８に配置されるように１つ設けられている。具体的には、実施形態１では、広幅パネル状の鋼矢板２２の幅寸法（Ｗ）は、１６００ｍｍの補強壁部材である。
【００３７】
また、図２、図３（Ａ）に示すように、広幅パネル状の鋼矢板２２の平板２１の両側部の既設鋼矢板壁側の面で、かつ上端部と既設の鋼矢板壁３の凸部１６の上端部との間にはスペーサ２４が溶接されていて、このスペーサ２４により平板２１が既設の鋼矢板壁３から開かないように設けられている。さらに、図２、図３（Ｂ）に示すように、Ｈ形鋼の突起部１９の後フランジ１９ａの上端部には、鉤型の係止金具２５が溶接されていて、広幅パネル状の鋼矢板２２を打設したとき、この係止金具２５が既設の鋼矢板壁３の凹部１８におけるウェブ部１２の上端に係止するように設けられている。
【００３８】
前述のようにして、広幅パネル状の鋼矢板２２を継ぎ手１７を嵌合させながら打設することで補強壁部材としての直線状の鋼矢板壁２３が構築され、この鋼矢板壁２３と既設の鋼矢板壁３との間の空間にはコンクリート、セメントモルタルなどの経時硬化性材料２６が充填される。
【００３９】
本発明により老朽化矢板護岸を修復する工程を説明する。
【００４０】
まず、図５に示すように、上部工１０の両側部をはつり、撤去部２７を形成することで既設の鋼矢板壁３の頭部を露出させる。次に、図６に示すように、広幅パネル状の鋼矢板２２を順次打設して、直線状の鋼矢板壁２３を構築する。さらに、図７に示すように、既設の鋼矢板壁３と直線状の鋼矢板壁２３の間隙に間詰用の経時硬化性材２６（または土砂）を充填する。最後に、撤去部２７にコンクリートを打設して老朽化矢板護岸の修復が終了する。（図１参照）
【００４１】
実施形態１によると、補強壁である新設の鋼矢板壁２３は直線状であるから、既設の鋼矢板壁３の凸部１６からの突出量が殆どなく、かつ、スペーサ２４の幅は小さくてよい。したがって、直線状の鋼矢板壁２３を可及的に既設の鋼矢板壁３の凸部１６に近づけて設けることができるので、新設の補強壁を設けたことにより、河川では、河川幅に殆ど影響を与えないで、つまり、川幅を狭めることなく補修できるメリットがある。
【００４２】
図８は、実施形態２を示し、河岸２９に打設された既設の鋼矢板壁３を実施形態２に係る、補強用の直線状の鋼矢板壁２３で補修した例が示されている。
【００４３】
実施形態２の広幅パネル状の鋼矢板２２は、平板部と継ぎ手１７が熱間圧延または、ホットコイルの冷間加工等で一体形成されていると共に、平板部の既設鋼矢板壁側の面に所定の間隔をあけて２つのＨ形鋼製の突起部１９が設けられている。この２つのＨ形鋼の突起部１９は、それぞれ既設の鋼矢板壁３の凸部１６を隔てた両側の凹部１８に位置している。また、継ぎ手１７は、隣接する２つの凹部１８の両側に位置する凸部１６の前に位置している。
【００４４】
実施形態２においても、補強用の直線状の鋼矢板壁２３と既設の鋼矢板壁３が開かないように、両鋼矢板壁３、２３の間にスペーサ２４が溶接されている。なお、継ぎ手１７の位置に設けられるスペーサ２４は、一側縁を該継ぎ手１７の爪部の側面に溶接し、他側縁を既設の鋼矢板壁３の凸部１６に溶接している。その他の構成と作用は、実施形態１と同じである。
【００４５】
図９は、実施形態３を示す。この実施形態３では、広幅パネル状の鋼矢板２２の平板２１を、既設の鋼矢板壁３の凸部１６のウェブ部１２に当てがって補強用の直線状の鋼矢板壁２３を構成した例が示されている。また、広幅パネル状の鋼矢板２２が既設の鋼矢板壁３から開かないように、平板２１の既設鋼矢板壁側の面上端に鉤状の係止金具３０を当てがい、この係止金具３０の鉤部を既設の鋼矢板壁３の凸部１６のウェブ部１２の上端に係止させている。他の構成は、実施形態１と同じである。
【００４６】
実施形態３によると、補強用の直線状の鋼矢板壁２３は、既設の鋼矢板壁３の凸部１６のウェブ部１２に沿って構築されているので、実施形態１のスペーサ２４の幅が無い分、一層、河川幅を狭めることなく補修できるメリットがある。
【００４７】
図１０は、実施形態４を示す。この実施形態４では、広幅パネル状の鋼矢板２２の平板２１の既設鋼矢板壁側の面に溶接する曲げ剛性を強化する突起部１９をＣＴ形鋼で構成し、後フランジ１９ａを既設の鋼矢板壁３の凹部１８に配置した例を示す。他の構成と作用は、実施形態３と同じである。
【００４８】
図１１は、実施形態５を示す。この実施形態５では、広幅パネル状の鋼矢板２２の平板２１の既設鋼矢板壁側の面に丸鋼からなるジベル（突起部）２８を複数溶接にて接合した例を示す。ジベル２８は、既設の鋼矢板壁３の凹部１８の内面にも溶接してよく、図はその例を示している。
【００４９】
実施形態５におけるジベル２８は、実施形態１〜４の突起部１９の有する広幅パネル状の鋼矢板２２の曲げ剛性強化機能と異なり、補強用の直線状の鋼矢板壁２３と既設の鋼矢板壁３との間に充填する、コンクリート、セメントモルタルなどの経時硬化性材料２６との結合強度を強化する機能を持たせたものである。他の構成と作用は、実施形態１〜４と同じである。
【００５０】
【発明の効果】
本発明によると、老朽化した矢板構造物、特に老朽化矢板護岸の補強、修復において、新たな補強用構造物として、直線状の鋼矢板壁を既設矢板壁に密着させ又は近接させて設けると共に、この直線状の鋼矢板壁の剛性強化のため、または新旧鋼矢板壁の間隙に充填する経時硬化性材料との結合強化のため、前記直線状の鋼矢板壁のユニットを構成する広幅パネル状の鋼矢板の既設鋼矢板壁側の面に突起部を設け、この突起部を、既設矢板壁の凹スペースを利用して建込む様に設けたので、限られた空間内で、新設の鋼矢板壁の前方への突出幅を極小に抑えて施工できると共に、使用中の護岸を短期間で経済的に補強し、強度を回復させて修復でき、近接構造物に悪影響を及ぼすことなく、もしくは河川の流量確保、港湾の水域確保のために、限られた空間内で補強構造物を構築するニーズに応えることができる。また、８００ｍｍを越える広幅の鋼板（鋼矢板２枚分）を用いて補強部材を構成することにより、製造コスト、打設コストを下げることができる。
【図面の簡単な説明】
【図１】  既設の矢板護岸に実施形態１の補修壁を施工した護岸構造の断面図である。
【図２】  図１のＡ−Ａ断面図である。
【図３】  （Ａ）、（Ｂ）は、図２のａ−ａ、ｂ−ｂ断面図である。
【図４】  （Ａ）、（Ｂ）は、図１のＢ−Ｂ、Ｃ−Ｃ、断面図である。
【図５】  実施形態１の護岸構造の第１施工工程である。
【図６】  実施形態１の護岸構造の第２施工工程である。
【図７】  実施形態１の護岸構造の第３施工工程である。
【図８】  既設の矢板護岸に実施形態２の補修壁を施工した護岸構造の断面図である。
【図９】  既設の矢板護岸に実施形態３の補修壁を施工した護岸構造の断面図である。
【図１０】  既設の矢板護岸に実施形態４の補修壁を施工した護岸構造の断面図である。
【図１１】  既設の矢板護岸に実施形態５の補修壁を施工した護岸構造の断面図である。
【図１２】  既設の矢板護岸構造の断面図である。
【図１３】  既設の矢板護岸に従来例の補修壁を施工した護岸構造の断面図である。
【符号の説明】
１  矢板護岸
２  水中
３  鋼矢板壁
３ａ  新設の鋼矢板壁
４  腹起し
５  タイロッド
６  Ｕ型鋼矢板
７  水底地盤
８  間詰め土砂
１０  上部工
１１  継ぎ手
１２  ウェブ部
１４  結合金具
１５  止水性充填材料
１６  凸部
１７  継ぎ手
１８  凹部
１９  突起部
１９ａ  後フランジ
２０  矢板半割り部材
２１  平板
２２  広幅パネル状の鋼矢板
２３  直線状の鋼矢板壁
２４  スペーサ
２５  係止金具
２６  経時硬化性材料
２７  係止金具
２８  ジベル
２９  河岸
３０  係止金具
【図１】
0004542290.tif 000002
【図２】
0004542290.tif 000003
【図３】
0004542290.tif 000004
【図４】
0004542290.tif 000005
【図５】
0004542290.tif 000006
【図６】
0004542290.tif 000007
【図７】
0004542290.tif 000008
【図８】
0004542290.tif 000009
【図９】
0004542290.tif 000010
【図１０】
0004542290.tif 000011
【図１１】
0004542290.tif 000012
【図１２】
0004542290.tif 000013
【図１３】
0004542290.tif 000014